(57)【特許請求の範囲】
【請求項１】
動画ファイルの観者に付加情報を提供する方法であって、
前記動画ファイル内に付加商品情報の存在を示す１以上のタグを提供するステップと、
前記動画と並んでまたはその上に前記タグの存在を視覚的に表すステップと、
前記タグと関連する前記商品情報を見るための要求を検出するステップと、
前記商品情報を見るための要求に応答して、前記動画を一時停止するステップと、
前記要求のあった前記商品情報を一時停止させた画像の上にポップアップ表示によりディスプレイ表示するステップとからなることを特徴とする情報提供方法。
【請求項２】
前記タグの存在を示す視覚的表示が、自動で行われる、または、前記観者の行動に対する応答であることを特徴とする請求項１に記載の情報提供方法。
【請求項３】
前記観者の行動が、有効と無効との間を切り換える、または、前記観者の選択または要求に応じて一時的に有効にする、前記タグの視覚的表示ディスプレイ表示モードを選択することであることを特徴とする請求項２に記載の情報提供方法。
【請求項４】
前記タグの視覚的表示が、ディスプレイ表示された画像の特定エリアを前記観者が選択したことに対する応答であることを特徴とする請求項２に記載の情報提供方法。
【請求項５】
前記タグの存在を示す視覚的表示が、前記タグが付された商品の上、または、アイコン表示エリアに商品アイコンをディスプレイ表示することからなり、
前記アイコン表示エリアは、表示エリアの１つの端縁に沿って設けられたバーであることを特徴とする請求項１乃至４のうちいずれか１項に記載の情報提供方法。
【請求項６】
前記タグを付された商品が、前記画像内で、一時的に、断続的にまたは常に、視覚的に強調表示されていることを特徴とする請求項１乃至５のうちいずれか１項に記載の情報提供方法。
【請求項７】
ディスプレイ表示された前記商品情報が、前記商品の品質についての説明、前記商品の１以上の画像、製造業者名及び前記商品の購入にあたっての詳細情報のいずれかの情報を含むことを特徴とする請求項１乃至６のうちいずれか１項に記載の情報提供方法。
【請求項８】
動画ファイルの観者に付加情報を提供するシステムであって、
前記動画ファイルの動画コンテンツを読み込み、且つ、前記動画ファイル内に関連した商品情報があることを示す１以上のタグの存在を検出するファイル読込手段と、
前記動画ファイルの前記動画コンテンツをディスプレイ表示し、且つ、前記タグの存在を示す視覚的表示を動画と並んでまたはその上にディスプレイ表示するディスプレイ表示手段と、
前記タグと関連する商品情報のディスプレイ表示を要求するための観者作動手段とを備え、
前記観者作動手段に応答して、前記ディスプレイ表示手段が動画を一時停止させ、要求のあった情報を一時停止させた画像の上にポップアップ表示によりディスプレイ表示することを特徴とする情報提供システム。
【請求項９】
前記観者作動手段が、前記システムに直接設けられた制御インターフェース、適切な有線または無線リンクでシステムに接続されたキーボードまたはキーパッド、または、適切な有線または無線リンクでシステムに接続されたカーソル指示装置のいずれかを含むタイプの制御手段であることを特徴とする請求項８に記載の情報提供システム。
【請求項１０】
前記情報提供システムが、コンピュータ、モバイルテクノロジ装置、テレビまたはＤＶＤプレーヤ等のメディアプレーヤと連動して動作するテレビ、ゲーム・コンソールまたはテレビ信号デコーダからなることを特徴とする請求項８または９に記載の情報提供システム。
【請求項１１】
請求項１乃至７のうちいずれか１項の情報提供方法に従って観者に対して付加情報をディスプレイ表示するステップからなり、
前記ディスプレイ表示された情報は、画面上にディスプレイ表示された１または複数の特定の商品に関連し、且つ、選択可能な購入アイコンを含んでおり、
前記購入アイコンを選択することで、前記観者が前記商品を購入するための電子商取引インターフェースに接続することができることを特徴とする商品の販売促進方法。
【請求項１２】
前記選択可能な購入アイコンが、画像の１以上の領域の上をスクロールすることで現れる、または、ダイアログ・ボックス内の商品アイコンの上、または、アイコン表示エリアに沿ってスクロールすることで現れることを特徴とする請求項１１に記載の商品の販売促進方法。
【請求項１３】
前記購入アイコンを選択することで、前記観者が前記商取引インターフェースに直接接続することができる、または、前記購入アイコンを選択することで、前記商品をショッピングリストに追加し、その後、前記観者が前記動画ファイルを継続して見るか、または、購入プロセスを完了するかを選択することができることを特徴とする請求項１１または１２に記載の商品の販売促進方法。
【請求項１４】
前記観者がディスプレイ表示されているチェックアウト・アイコンを選択することで、または、前記制御手段の特定の制御ボタンを作動させることで、いつでも購入プロセスの完了を選択することができることを特徴とする請求項１１乃至１３のうちいずれか１項に記載の商品の販売促進方法。
【請求項１５】
前記チェックアウト・アイコンを選択することで、前記観者が購入プロセスを完了させる前に、ショッピングリストの再検討を可能にすることを特徴とする請求項１４に記載の商品の販売促進方法。
【請求項１６】
前記商取引インターフェースが、注文を確認するために前記観者及び前記商品の情報の入力に対して動作し、続いて、注文を履行するために製造業者または卸売業者に注文情報を伝える電子商取引インターフェースであることを特徴とする請求項１４または１５に記載の商品の販売促進方法。
【請求項１７】
前記商取引インターフェースが、リモート・サーバ上で動作され、前記商取引インターフェースに接続すると、前記観者は課金情報及び／または配達情報を入力及び／または確認しなければならず、且つ、前記課金情報及び／または前記配達情報の確認の際、前記商取引インターフェースが注文を確認するために動作可能であることを特徴とする請求項１１乃至１６のうちいずれか１項に記載の商品の販売促進方法。
【請求項１８】
請求項８乃至１０のうちいずれか１項の情報提供システムに従って、観者に対して、動画ファイルに関する付加情報を提供する情報提供システムからなり、
前記ディスプレイ表示された情報は、画面上にディスプレイ表示された１または複数の特定の商品に関連し、且つ、選択可能な購入アイコンを含んでおり、
更に、前記選択可能な購入アイコンを選択するための観者によって操作される制御手段と、
前記商品を購入するために、システムを電子商取引インターフェースに接続する前記選択可能な購入アイコンを選択すると動作するデータ送信手段とからなることを特徴とする商品の販売促進システム。
【発明の詳細な説明】
【技術分野】
【０００１】
本発明は、動画ファイル（moving image file）の観者（viewer）に商品情報を提供する方法及びシステム、並びに、該商品を購入することに関連して使用可能な方法及びシステムに関するものである。
【背景技術】
【０００２】
一般に、映画（movies）、テレビ番組その他の動画メディア（moving image media）の観者は、そのようなメディアによって大きな影響を受けている。特に、観者は、見たメディアに出演している俳優及びその俳優が身に着けている衣類またはその俳優が使用しているその他の商品を高く評価する（admire）。典型的に、そのような商品の正確なアイデンティティ（exact identity）に関して、情報を入手することは簡単ではなく、その事を、例えば、新聞・雑誌・ファンのウェブサイト等の他のメディアで調査しなければならない。商品のアイデンティティに関する情報を入手できたとしても、その商品が販売中であるか確認し、及び、商品を入手できる小売販路（retail channel）を見つけるために、更なる調査が必要となる。
【発明の概要】
【発明が解決しようとする課題】
【０００３】
上述の問題点を多少とも解消するまたは克服するシステム及び方法を提供することが本発明の目的である。
【課題を解決するための手段】
【０００４】
本発明の第１の態様によれば、動画ファイルの観者に付加情報（additional information）を提供する方法であって、動画ファイル内に付加商品情報の存在を示す１以上のタグ（tags）を提供するステップと、動画と並んでまたはその上にタグの存在を視覚的に表すステップと、タグと関連する商品情報を見るための要求を検出するステップと、動画を一時停止するステップと、要求のあった商品情報を一時停止させた画像の上にディスプレイ表示するステップとからなることを特徴とする情報提供方法が提供されている。
【０００５】
この方法を使用することで、観者は商品についていつ付加的な情報を入手できるか知ることができ、容易にその情報にアクセスすることができる。
【０００６】
タグの存在を示す視覚的表示（visual indication of the existence）は、自動で行われても、観者の行動に対する応答で行われてもよい。観者の行動は、タグの視覚的表示ディスプレイ表示モード（tag visual indication display mode）を選択することでもよい。タグの視覚的表示ディスプレイ表示モードは、有効と無効との間を切り替えてもよい（toggle）。代わりに、タグの視覚的表示ディスプレイ表示モードは、観者の選択または要求に応じて、一時的に有効にされてもよい。この場合、タグの視覚的表示ディスプレイ表示モードは、限られた時間（例えば、数秒）、または、動画ファイルによっては継続した時間（例えば、現在のシーンの終了まで）有効にされてもよい。さらに、または、代わりに、タグの視覚的表示は、ディスプレイ表示された画像の特定エリアを観者が選択したことに対する応答であってもよい。特定エリアは、関連する商品がディスプレイ表示された画像エリアまたは画像の別専用エリア（dedicated area）でもよい。視覚的表示は、限られた時間（例えば、数秒）、または、動画ファイルによっては継続した時間（例えば、現在のシーンの終了まで）有効にされてもよい。
【０００７】
タグの存在を示す視覚的表示は、商品アイコンの表示からなっていてもよい。商品アイコンは、タグが付された商品の上にディスプレイ表示されるか、または、アイコン表示エリア（icon display area）にディスプレイ表示されてもよい。アイコン表示エリアは、表示エリアの１つの端縁に沿って設けられたバーであってもよい。表示は、様式化された表示でも、写真のようなタイプの画像であってもよい。
【０００８】
さらに、または、代わりに、タグが付された商品は、画像内で視覚的に強調表示（visually highlighted）されていてもよい。視覚的な強調表示は、望みの通りに、一時的に、断続的にまたは常に表示されるものでよい。実施例によっては、この強調表示は、観者の要求に応じて実施されるようにしてもよい。
【０００９】
ディスプレイ表示された商品情報は、一時停止された画像の上に設けられたウィンドウまたはダイアログ・ボックス（dialog box）内にディスプレイ表示してもよい。ディスプレイ表示された商品情報は、商品の品質についての説明、商品の１以上の画像、製造業者名及び商品の購入にあたっての詳細情報（purchasing details）のいずれを含んでいてもよい。
【００１０】
観者の要求は、適切な制御手段（control means）を用いてなされることが望ましい。制御手段は、動画ファイルを再生及び／またはディスプレイ表示するのに使用されるシステムと接続する（interfacing）のに適したどのようなタイプの制御手段でもよい。そのような適したタイプの制御手段は、システムに直接設けられた制御インターフェース（control interface）、適切な有線または無線リンク（wired or wireless link）でシステムに接続されたキーボードまたはキーパッド、または、適切な有線または無線リンクでシステムに接続されたカーソル指示装置（cursor directing devices）を含む。
【００１１】
本システムは、集積装置（integrated device）または１以上の接続された装置（one or more connected devices）からなっていてもよい。動画ファイルを再生及び／またはディスプレイ表示するのに適切なシステムは、コンピュータ、テレビまたはＤＶＤプレーヤ等のメディアプレーヤと連動して動作するテレビ、ゲーム・コンソール（game console）またはテレビ信号デコーダ（television signal decorder）またはモバイルテクノロジ装置（mobile technology device）を通じてでもよい。
【００１２】
本発明の第２の態様によれば、動画ファイルの観者に付加情報を提供するシステムであって、動画ファイルの動画コンテンツを読み込み、且つ、動画ファイル内に関連した商品情報があることを示す１以上のタグの存在を検出するファイル読込手段（file reading means）と、動画ファイルの動画コンテンツをディスプレイ表示し、且つ、タグの存在を示す視覚的表示を動画と並んでまたはその上にディスプレイ表示するディスプレイ表示手段と、タグと関連する商品情報のディスプレイ表示を要求するための観者作動手段（viewer actuable means）とを備え、観者作動手段に応答して、ディスプレイ表示手段が動画を一時停止させ、要求のあった情報を一時停止させた画像の上にディスプレイ表示することを特徴とする情報提供システムが提供されている。
【００１３】
本発明の第２の態様のシステムは、望みの通り、または、適正に、本発明の第１の態様のいずれかまたは全ての特徴（feature）を組み込んでもよい。
【００１４】
本発明の第３の態様によれば、動画ファイル、１以上のタグ及びタグの関連情報からなることを特徴とする拡張動画ファイル・フォーマット（enhanced moving image file format）が提供されている。
【００１５】
本発明の第３の態様のファイル・フォーマットは、望みの通り、または、適正に、本発明の第１または第２の態様のいずれかまたは全ての特徴を組み込んでもよい。
【００１６】
本発明の第４の態様によれば、本発明の第１の態様に従って観者に対して付加情報をディスプレイ表示するステップからなり、ディスプレイ表示された情報は、画面上にディスプレイ表示された１または複数の特定の商品に関連し、且つ、選択可能な購入アイコン（selectable purchase icon）を含んでおり、購入アイコンを選択することで、観者が商品を購入するための電子商取引インターフェース（electronic commerce interface）に接続することができることを特徴とする商品の販売促進方法（method of facilitating product sales）が提供されている。
【００１７】
本発明の第４の態様の方法は、望みの通り、または、適正に、本発明の第１、第２または第３の態様のいずれかまたは全ての特徴を組み込んでもよい。
【００１８】
このようにすることで、観者は、見ている動画ファイルの中で見た商品を容易に注文することができる。
【００１９】
選択可能な購入アイコンは、画像の１以上の領域の上をスクロールすることで現れるようになっていてもよい。具体的には、選択可能な購入アイコンは、ダイアログ・ボックス内の商品アイコン上、または、アイコン表示エリアに沿ってスクロールすることで現れるようになっていてもよい。
【００２０】
購入アイコンは、適切な制御手段を用いて選択することができる。制御手段は、前述の本発明の態様で示されたどのタイプの制御手段であってもよい。また、制御手段は商取引手段を作動させるために使用してもよい。
【００２１】
購入アイコンを選択することで、観者は商取引インターフェースに直接接続することができるようになっている。あるいは、購入アイコンを選択することで、商品をショッピングリストに追加するようになっていてもよい。商品がショッピングリストに追加された後、観者は動画ファイルを継続して見るか、または、購入プロセスを完了するかを選択することができる。さらに、または、代わりに、観者は、ディスプレイ表示されているチェックアウト・アイコンを選択することで、いつでも購入プロセスの完了を選択することができる。
【００２２】
チェックアウト・アイコンは、動画ファイルの通常再生中、アイコン表示エリアにディスプレイ表示されていてもよい。チェックアウト・アイコンを選択することで、観者が購入プロセスを完了させる前に、ショッピングリストの再検討（review）を可能にすることができる。さらに、または、代わりに、制御手段の特定の制御ボタンを作動させることが、チェックアウト・アイコンを選択することに相当してもよい。
【００２３】
商取引インターフェースは、どのような適切な商取引インターフェースでもよい。具体的には、注文を確認するために観者及び商品の情報の入力に対して動作し、続いて、注文を履行するために製造業者または卸売業者に注文情報を伝える電子商取引インターフェースであってもよい。典型的には、電子商取引インターフェースは、リモート・サーバ（remote server）上で動作されていてもよい。
【００２４】
商取引インターフェースに接続すると、観者は課金情報（billing details）及び／または配達情報（delivery details）を入力及び／または確認しなければならない。実施例によっては、観者が入力済みの課金情報及び／または配達情報を単に確認するだけでもよい。観者が課金情報及び／または配達情報を確認すると、インターフェースは注文を確認するために動作可能になる。注文が確認されると、観者には、確認メッセージが送信される。観者は、アイコンその他を選択することによって、閲覧システム（viewing system）の通常のオペレーション（normal operation）に戻ることを選択することが可能である。
【００２５】
本発明の第５の態様によれば、動画ファイルの観者に付加情報を提供する本発明の第２の態様に従ったシステムからなり、ディスプレイ表示された情報は、画面上にディスプレイ表示された１または複数の特定の商品に関連し、且つ、選択可能な購入アイコンを含んでおり、更に、選択可能な購入アイコンを選択するための観者によって操作される制御手段と、商品を購入するために、システムを電子商取引インターフェースに接続する選択可能な購入アイコンを選択すると動作するデータ送信手段とからなることを特徴とする商品の販売促進システムが提供されている。
【００２６】
本発明の第５の態様のシステムは、望みの通り、または、適正に、本発明の第４の態様のいずれかまたは全ての特徴を組み込んでもよい。
【００２７】
例示として、また、添付の図面を参照して、本発明をさらにわかりやすくするために、以下により詳細に示す。
【図面の簡単な説明】
【００２８】
【図１】本発明の実施例において、ディスプレイ表示される動画ファイルの例示的なシーンを示す図である。
【図２】本発明の実施例において、特徴付けられた商品（featured product）に関する情報のディスプレイ表示を示す図である。
【図３】本発明の実施例において、商品アイコンがスクロールされた後のディスプレイ表示を示す図である。
【図４】本発明の実施例において、課金情報を入力するのに適した画面上のインターフェース（onscreen interface）を示す図である。
【図５】本発明の実施例において、注文が完了した後のディスプレイ表示を示す図である。
【図６】本発明の実施例において、観者の注文がチェックされ、履行される手段の略ブロック図である。
【図７】本発明の実施例を容易にするのに適した閲覧装置（viewing apparatus）またはシステムの略ブロック図である。
【発明を実施するための形態】
【００２９】
本発明は、動画ファイル（典型的には、映画〔film〕、コンピュータゲーム、または、テレビ番組）の観者が情報を取得でき、且つ、もし希望するのであれば、動画ファイルで見た商品を購入することができることを用いた方法を提供する。本発明の方法では、動画ファイルがディスプレイ・ユニットに表示され、観者には、適切な制御手段が提供される。動画ファイルは、付加商品情報の存在を示す１以上のタグを含む。先述のタグの存在は、観者の選択、要求（request）または行動（action）に対する応答として、動画ファイルと共に観者に対してディスプレイ表示されている。観者は、先述の情報をディスプレイ表示する要求をすることができ、その気があれば、関連した商品を注文することができる。
【００３０】
次に、図１を参照すると、動画ファイルからの例示的なシーン１０がディスプレイ・デバイスに表示されている。図１において、観者によってタグの視覚的表示ディスプレイ表示モード（tag visual indication display mode）の選択が行われた。その選択に応じて、シーン１０はアイコンバー１１と共に、画像（image）の下部にディスプレイ表示されている。もし、タグの視覚的表示ディスプレイ表示モードが選択されないと、動画ファイルは通常の動画ファイルと同様にディスプレイ表示される。タグの視覚的表示ディスプレイ表示モードは一時的なものでもよく、観者の選択が取り消されるまで持続させてもよい。選択は、制御手段の適切な入力を作動させる（actuate）ことで行うようにすればよい。もしシーンにタグが付された商品が現れた場合、選択可能なアイコン１２がアイコンバーにディスプレイ表示される。典型的に、図１において眼鏡（spectacles）について表示されているように、アイコンは、関連付けられているアイコンを絵で表現するものでもよい。このことにより、観者が商品を特定することを可能にし、また、ディスプレイ表示されたシーンに２以上のタグが付された商品が存在する場合に、２以上のアイコンを区別することを可能にする。さらに、または、代わりに、動画画像内において、商品は常に（constantly）、または、一時的に（momentarily）強調表示されていてもよい（highlighted）。１つの典型的な実施例においては、観者が、商品が配置されている画像エリア（area of the image）の上にカーソルをスクロールさせた場合に、商品が強調表示される。
【００３１】
アイコン１２は、制御手段を使用して選択することができる。これは、専用の（dedicated）制御入力装置を作動させることで達成される。代わりに、もし制御手段が適しているのであれば（例えば、コンピュータ・マウスやそれに類するものであれば）、観者は、カーソルを商品の上にスクロールさせることで、直接商品を選択することができる。
【００３２】
図２に図示されているように、商品を選択すると、動画ファイルは一時停止され、その商品に関連する情報がディスプレイ表示される。図２に図示されているように、情報は、一時停止した画像の上に提供される、ポップアップウィンドウ（pop up window）１３でディスプレイ表示してもよい。代わりに、情報は、一時停止した画像と並んだ（alongside）情報バー（information bar）にディスプレイ表示してもよい。情報は、商品の品質（quality）の説明１４、商品画像１５、製造業者名及び値段を含んでいてもよい。
【００３３】
ディスプレイ表示された情報は、選択可能な購入アイコン（purchase icon）１６も含んでおり、本ケースでは、ショッピングカートの形をしている。本実施の態様では、購入アイコン１６は、観者が商品アイコン１２または商品画像１５上をスクロールするか、専用の制御入力装置を作動させると現れるように構成されている。それから、観者は、適切な方法で、制御手段を用いて、購入アイコンを選択することができる。アイコン１６を選択することで、商品が顧客のショッピングリストに追加される。観者はショッピングリストを再検討及び編集し、アイコンバーにディスプレイ表示されたショッピングカート・アイコン１７を選択することで購入に進むことができる。代わりに、この選択は、制御手段の専用の制御入力装置を作動させることで行ってもよい。
【００３４】
ショッピングリストに商品を追加してから、観者はこの時点で購入を完了するか、動画ファイルを見ることを継続するかを選択することができる。典型的に、これは、適切な画面上のアイコンやボタンを選択するか、制御手段の適切な入力を作動させることで可能である。
【００３５】
ショッピングリストに商品を追加した直後またはファイルを見るのを終了したいずれの場合にも、観者が購入を完了することを選択した場合、観者は、図４に示されるようなタイプの適切な画面上のインターフェース２０を通して、個人情報２１及び課金情報（billing details）２２を入力するように要求される。実施例によっては、観者はそのような情報を保存しておいたか、または、そのような情報を保存することを選ぶことができ、その場合には、情報を再入力する必要がない。観者は、ショッピングリスト２７を見て、編集することもできる。情報を入力すると、観者は、備えられたアイコンまたはボタン２３を選択することで、または、他の適切な制御手段を用いて、注文を確定させることができる。観者は、アイコンまたはボタン２５を選択することで、いつでも入力したデータを消去することができる。また、アイコンまたはボタン２６を選択することで、動画ファイルを継続して見ることができる。
【００３６】
観者によって注文が確定されると、リモート・サーバ３０に送信され、チェックのためのインターフェースが動作（operate）する。支払情報（payment details）が正しく、注文を履行することができると仮定すると、完了メッセージ２４が観者に対してディスプレイ表示され、観者には、閲覧オペレーションの再開（resuming viewing operation）の選択肢を与えるボタンまたはアイコン２５が与えられる。
【００３７】
次に図６には、観者の注文のチェック及び履行手段の１つの可能な実施例が示されている。観者の閲覧装置（viewing apparatus）からの情報は、サーバ３０に伝えられている（communicated to）。サーバ３０は、観者の注文及び課金情報をチェックすることができる。これらが有効であれば、完了メッセージ２４が観者の閲覧装置に送信される（relayed to）。さらに、サーバ３０は、注文された商品のそれぞれについて、必要な注文情報（requisite order details）を製造業者３１及び／または卸売業者３２に送信することができる。これによって、注文された商品３３がやがて観者３４に届けられる。
【００３８】
この方法には、映画、コンピュータゲーム及び／またはテレビ番組内の商品についての観者の好奇心を満足させ、同時に、印象に残った商品を注文するための簡単な方法を観者に提供できるという利点がある。これは、観者にとって、注文するために商品及び製造業者を調査するよりも簡単である。結果として、この方法で取り上げられた商品は、売り上げが少し伸びることを期待できるかもしれない。
【００３９】
上述の方法を実施するために、変更を加えた動画ファイル（modified moving image files）を提供することが必要である。これは、動画ファイルに付加データ・フィールド（addition data fields）を付加することで達成される。付加フィールドは、ディスプレイ表示されるアイコン、取り上げられた商品が観者に対していつどこで見えるかについてのデータ及び取り上げられた商品に関連した情報を含んでいてもよい。
【００４０】
本発明は、観者に対して、単一の装置（single device）または装置がリンクされたシステムを通じて実施してもよい。本発明を適切に機能させるために、単一の装置またはシステムは、図７に図示された構成要素（elements）を備えなければならない。システム１００は、ディスプレイ・ユニット１０１、動画ファイル再生手段１０２、観者が操作可能な制御手段１０３及びサーバ３０とデータの交換が可能なデータ交換手段（data exchange means）１０４を備えている。
【００４１】
例として、本システムは、コンピュータ・システムまたは独立したディスプレイ・ユニット（separate display unit）及び独立した動画ファイル・プレーヤ（separate image file player）（または統合されたディスプレイ・ユニット及びプレーヤでもよいのはもちろんである。）を備えていてもよい。
【００４２】
コンピュータ・システムの場合、データ交換手段は、有線または無線インターネットまたはネットワーク接続でよく、動画ファイルは内蔵のまたは外付けのドライブ（internal or external drive）から読み取ってもよく、また、遠隔地（remote location）から有線または無線のリンクを通じて受信されてもよい。
【００４３】
他の場合では、ディスプレイ・ユニットは、観者のテレビ（またはその他のディスプレイ・ユニット）であってもよく、また、プレーヤは、テレビそれ自体、ゲーム・コンソール（games console）、ＤＶＤプレーヤやそれに類するメディアプレーヤ、衛星またはケーブルテレビのデコーダ・ボックスを含むがこれらに限定されない、どのような適切なプレーヤでもよい。更なる可能性としては、本発明はモバイルテクノロジ装置（mobile technology device）を通じて実施されてもよい。これは、電話、ポータブル・メディアプレーヤ、ＰＤＡ等を含むがこれらに限定されない。このような例においては、制御手段は、適切に適合されたリモート制御手段であってもよい。
【００４４】
典型的には、制御手段は、集積されたまたは（有線または無線リンクで）接続されたキーボードまたはキーパッド、集積されたまたは（有線または無線リンクで）接続されたポインタ装置（pointer device）またはタッチ画面（touch sensitive screen）でよい。
【００４５】
本発明は、動画ファイルを読み込み、ディスプレイ表示することができる適切に適合されたディスプレイ装置を使用して実施されている。本明細書においてディスプレイ装置は、統合されたファイルリーダー及びディスプレイ・ユニットを有する装置と、独立したファイルリーダー及びディスプレイ・ユニットの組み合わせの双方を含む。
【００４６】
１つの典型的な実施例において、本発明は、‘ホットボタン（hot button）’を有するように適合されたリモート制御ユニットを有するメディアプレーヤ上で実施されていてもよい。ホットボタンは、現在見られているシーンや、見ているシーン内のタグが付された２以上の商品を通したサイクル（cycles）において、タグが付された商品を自動的に選択する、観者が作動させることができる専用の入力手段（dedicated viewer actuable input）であってもよい。観者が購入を完了するために、追加のホットボタンが備えられていてもよい。
【００４７】
上述の実施例は例としてのみ説明したものであり、本発明は上述の実施例に限定されるものではないのはもちろんである。
【図１】
0005386475.tif 000002
【図２】
0005386475.tif 000003
【図３】
0005386475.tif 000004
【図４】
0005386475.tif 000005
【図５】
0005386475.tif 000006
【図６】
0005386475.tif 000007
【図７】
0005386475.tif 000008